(57)【要約】【課題】頭部にマッサージを施行するためには、マッサージ作業器を頭部に装備する装着器具を必要とするのでその装着器具を目的とする。【解決手段】頭部用マッサージ器具は、被冠体１の前部に２ヶ所と後部に１〜２ヶ所の適宜数の突出した支持体２を備え、支持体２に備えた当接カラー９の先端９Ａを伸縮と回旋傾斜可動として頭部２０に当接させて、大きさや形状が不規則な頭部２０に安定した装備をさせる構成の被冠体１に、マッサージ作業器３０を取り付けて、頭部２０の被マッサージ面に装備してマッサージを施す。【選択図】図１
2009178532.tif 000002
【特許請求の範囲】
【請求項１】
ヘルメット状の被冠体の内側に適宜数の支持体を備え、この支持体の内部に球状軸を有して伸縮自在かつ回旋可能な当接部を挿入するとともに、前記被冠体の上部にマッサージ作業器を取り付けて被マッサージ者の頭部に装備してマッサージする頭部用マッサージ器具。
【請求項２】
前記被冠体は、その上部に設けた開口溝にマッサージ作業器を摺動可能に取り付けてなる請求項１記載の頭部用マッサージ器具。
【請求項３】
前記被冠体は、上部にマッサージ作業器を摺動可能に取り付ける凸状の案内部を設けた請求項１又は２記載の頭部用マッサージ器具。
【発明の詳細な説明】
【技術分野】
【０００１】  本発明は、マッサージ作業器を頭部の前頭部・頂頭部・後頭部の任意の被マッサージ面に簡単に安定した装備して、マッサージすることを目的とするマッサージ作業器を頭部へ装備する頭部用マッサージ器具に関する。
【背景技術】
【０００２】  頭部の脱毛部に発毛剤・養毛剤を塗布後に、マッサージにより血行を促し皮膚を活性化することで発毛を促進することは周知である。【０００３】  そのマッサージを簡便に被マッサージ者に負担なく実施するために、マッサージ作業器を頭部に装備してマッサージするための装着器具がある（例えば特許文献１及び２を参照）。【０００４】  特許文献１  特開２００６−２９７００３号公報
特許文献２  特開２００７−０６８９５１号公報
【発明の開示】
【発明が解決しようとする課題】
【０００５】  マッサージを必要とする被マッサージの頭部は、個人差がありその大きさも異なり、また不規則な形状であるが、各人に自在に対応して安定して装備するマッサージ器具が求められている。
【課題を解決するための手段】
【０００６】  上記目的を達成するために本発明の頭部用マッサージ器具は、ヘルメット状の被冠体の内側に適宜数の支持体を備え、この前記支持体の内部に球状軸を有して伸縮自在かつ回旋可能な当接部を挿入するとともに、前記被冠体の上部にマッサージ作業器を取り付けて被マッサージ者の頭部に装備してマッサージすることを特徴とするものである。【０００７】  さらに前記被冠体は、その上部に設けた開口溝に前記マッサージ作業器を摺動可能に取り付けたことを特徴とするものである。【０００８】  さらに前記被冠体は、上部に前記マッサージ作業器を摺動可能に取り付ける凸形状の案内部を設けたことを特徴とするものである。
【発明の効果】
【０００９】  本発明に係る頭部用マッサージ器具は、装着器具の被冠体に支持体を備えたことによって、個人差のある大きさで不規則な形状の頭部に対して、支持体の当接部が伸縮自在にかつ回旋傾斜可動することで、頭部の不規則な面に倣い遍付なく密接することで、被冠体を安定した状態で装備することができる。【００１０】  この被冠体の凸状案内部の開口溝に前記マッサージ作業器を摺動可能に取り付けることで、頭部の被マッサージ面が広い場合には、マッサージ毎に取り付け位置を変更して被マッサージ面に満遍なくマッサージ効果を施すことができるものである。【００１１】  さらに前記マッサージ作業器を取り付ける開口溝を凸形状部として空間部Ｂを設けることで、前記マッサージ作業器の加振部を傾斜可動させて被マッサージ面に遍付きなく当接させても、他部に干渉することなく装備できる。
【発明を実施するための最良の形態】
【００１２】  以下本発明に係るマッサージ作業器を頭部に装備する、装着器具につき添付図面を用いて説明する。
図１は本発明の頭部へ装備する装着器具の使用状態を示す略示図、図２は支持体で（イ）は外観略示図、（ロ）は断面図である、図３は被冠体の上視図、図４は図３のＡ−Ａ断面図、図５は図３のＢ−Ｂ断面図、図６は被冠体に取り付けた空気振動を利用するマッサージ作業器の断面図である。【００１３】  本発明に係る頭部用マッサージ器具は、図１に示すように、ヘルメット状の被冠体１とこの被冠体１の上部側に装備されるマッサージ作業器３０とから構成されて、被マッサージ者が頭部２０に被った状態でマッサージ効果を施すものである。【００１４】  前記被冠体１に備える支持体２は、内部に球状軸６を有して伸縮自在かつ回旋傾斜可能な当接部１５を挿入して、ケース３と球受４の鍔部で被冠体１を挟み螺子５で被冠体１に適宜数取り付けられている。【００１５】  支持体２の当接部１５は、球状軸６の球形状部を球受４の内側に挿入して球受４の球形状部と摺動する構成で、挿入側より凹形状の球形状部を設けた球押板７を介してコイルスプリング８で押付け、球状軸６の軸先端に螺子を用いて当接カラー９を固着して一体化させて、被冠体１の内側に突出した構成で当接カラー９の先端９Ａを頭部２０に当接させて当接部１５を自在に伸縮と回旋傾斜させる。【００１６】  この支持体２を被冠体１の前部に２ヶ所と後部の１〜２ヶ所に適宜数を備え、当接部１５の当接カラー９の先端９Ａが自在に伸縮して回旋傾斜可動する構成にされており、頭部２０の大きさや形状が不規則でも自在に回旋傾斜して頭部２０の装着面に倣い遍付きのない面接触となって、被冠体１を頭部２０に安定して装備させることができる。【００１７】  これにより被冠体１の開口溝１０に取り付けるマッサージ作業器３０と、頭部２０の被マッサージ面との間隔を安定させて、マッサージ作業器３０の内部に備えた上下と傾斜可動の調節機能で、加振部３１の先端を被マッサージ面に安定して遍付なく当接させることができる。【００１８】  これで加振部３１の内側に備えた柔軟材よりなる振動子３４の漏斗形状部の先端が、被マッサージ面に均等に圧接して振動子３４と被マッサージ面で構成する空間部Ａ３５の遮断性が良くなることで、空間部Ａ３５に噴出させる断続空気によるマッサージ効果を効率よく発生させることができる。【００１９】  被冠体１は、硬質合成樹脂からヘルメット状に形成され上部の中央の前部１１から後部１２につながる凸状案内部１３を形成して、凸状案内部１３の上面の中央に前部から後部にかけて切り取った開口溝１０を設け、この開口溝１０の任意の位置にマッサージ作業器３０を取り付けて頭部２０の前頭部・頂頭部・後頭部の被マッサージ面の位置に対応してマッサージ効果を施す。【００２０】  被冠体１の凸状案内部１３の前部１１又は後部１２のいずれか一方を開放状とし他方を閉鎖状として、開放状の端側からマッサージ作業器３０の中間部の左右に備えた凹形状の溝部をスライド可能に挿入して、マッサージ作業器３０に備えた螺子Ｂ３２の先端で被冠体１の凸状案内部１３に設けた開口溝１０の縁部１４を挟み任意の位置で取り付けるものである。【００２１】  被冠体１の凸状案内部１３の上面は、開口溝１０に挿入するマッサージ作業器３０の左右の溝部を挿入して取り付ける高さであり、マッサージ作業器３０の内部の下部に備えた加振部３１が他に干渉することなく、前後左右に所定の角度内で自在に可動する空間部Ｂ３３を設けている。【００２２】  被冠体１に衝撃が加わると、支持体２の内部に備えたコイルスプリング８が収縮して緩衝効果が発生して、当接カラー９の先端９Ａより頭部２０の接触面に伝わる衝撃を吸収する構成も兼ねそなえている。さらに当接カラー９の先端９Ａに柔軟材よりなるカバーを装備することが望ましい。【００２３】  図１に示すように、被冠体１にマッサージ作業器３０を取り付けて被冠体１を頭部２０に被せて、その両側に連結されているベルト３６で顎部の下で締結して装備される。【００２４】  脱毛部が広い場合は、マッサージ毎に被冠体１に取り付けるマッサージ作業器３０の位置を変更して、広い脱毛部に満遍なくマッサージを施す。そのために被冠体１に取り付けるマッサージ作業器３０は、螺子３２・バネ等により取り付け簡単に位置を変更できる構成としている。【００２５】  本発明の頭部用マッサージ器具は、被冠体１を用いて断続空気の空気振動を利用するマッサージ作業器３０で説明したが、高周波・低周波の交流電流を利用するマッサージ作業器、及び電磁石等を利用した機械振動を利用するマッサージ作業器を被冠体１に取り付けて頭部２０に装備することで、頭部２０にマッサージ効果を施す。
【図面の簡単な説明】
【００２６】
【図１】は、頭部へ装備する装着器具の使用状態を示す略示図である。
【図２】は、支持体を示すもので、（イ）は外観略示図、（ロ）は断面図である。
【図３】は、被冠体の上視図である。
【図４】は、図３のＡ−Ａ断面図である。
【図５】は、図３のＢ−Ｂ断面図である。
【図６】は、被冠体に取り付けた空気振動を利用するマッサージ作業器の断面図である。
【符号の説明】
【００２０】１      被冠体
２      支持体
３      ケース
４      球受
６      球軸
７      球押板
８      コイルスプリング
９      当接カラー
１０    開口溝
１３    凸状案内部
１４    縁部
１５    当接部
２０    頭部
３０    マッサージ作業器
３１    加振部
３３    空間部Ｂ
３４    振動子
３５    空間部Ａ
【図１】
2009178532.tif 000003
【図２】
2009178532.tif 000004
【図３】
2009178532.tif 000005
【図４】
2009178532.tif 000006
【図５】
2009178532.tif 000007
【図６】
2009178532.tif 000008